(57)【特許請求の範囲】
【請求項１】
作業台を含み、前記作業台の上端面の右側には切断機構が固定的に設置され、前記切断機構は貼ったテープを切断でき、
前記作業台の上端面の左側には把持機構がスライド可能に設置され、前記把持機構はパッケージを把持でき、且つパッケージを作業台の中間に位置させることができ、テープ貼りに便利であり、
前記把持機構の前後両側にはテープ貼り機構が対称に設置され、前記テープ貼り機構は前記作業台の上側で上下に移動できる第一昇降棒を含み、前後二本の前記第一昇降棒の間には前後対称の第二昇降棒が設置され、前記第一昇降棒と前記第二昇降棒とは連結短ブロックによって固定的に連結され、前記第二昇降棒は連結短棒によって固定的に連結され、前記第一昇降棒の中には前後に貫通した第一空間が設置され、前記第二昇降棒の中には前後に貫通した第二空間が設置され、前記第一空間の上端壁には短軸が回転可能に設置され、前記短軸には大型斜歯歯車が固定的に設置され、前記短軸の下端にはモータが設置され、前記モータは小型ブロックに固定され、前記小型ブロックは前記第一空間の上下端壁の間に固定され、前記小型ブロックの前端面にはソケットが固定的に設置され、前記ソケットと前記モータとの間には電線が設置され、前記大型斜歯歯車の右側には縦斜歯歯車が噛み合うように設置され、前記縦斜歯歯車の下側には小型斜歯歯車が噛み合うように設置され、前記小型斜歯歯車は細軸の上端に固定的に連結され、前記細軸の下端は前記第一空間の下端壁に回転可能に連結され、前記細軸にはリールが固定的に設置され、前記リールは前記小型斜歯歯車とともに回転でき、前記リールは細線によって小型スライドブロックを連動させて左右に移動させることができ、前後二本の前記第二昇降棒の間にはテープケースが設置され、前記小型スライドブロックは前記テープケースを連動させて左右に移動させることができ、前記テープケースはパッケージにテープを貼ることができ、
前記テープ貼り機構の上側には昇降機構が設置され、前記昇降機構は主棒を含み、前記主棒は前記作業台の上端面に固定され、前記主棒の中には縦空間が設置され、前記縦空間の中には上下に移動できるラックが設置され、前記ラックの左右両側には小型歯車が対称に、且つ伝動可能に噛み合っていることを特徴とする速遉用パッケージの表面に対する便利処理装置。
【請求項２】
前記切断機構は前記テープケースの下端面の左側に位置する小型ばねを含み、前記小型ばねの下側には縦ブロックが固定的に連結され、前記小型ばねは引っ張られる状態にあり、前記作業台の上端面の右側には妨害ブロックが固定的に設置され、前記妨害ブロックの上端面にはブレードが固定的に設置され、前記縦ブロックが落下した後に、前記ブレードはテープを切断できることを特徴とする請求項１に記載の速遉用パッケージの表面に対する便利処理装置。
【請求項３】
前記把持機構は前後対称の把持ブロックを含み、前記把持ブロックは前記作業台の上端面の左側に位置し、前後二つの前記把持ブロックにおいて互いに離れた側には主縦棒が設置され、前記主縦棒の中には縦長空間が設置され、前記主縦棒の右側には副縦棒が対称に設置され、前記縦長空間の中には縦長棒が設置され、前記縦長棒には円柱棒が固定的に設置され、前記円柱棒は前記縦長空間の左右端壁と回転可能に連結され、前記把持ブロックと前記縦長棒との間には細棒が固定的に設置され、前記把持ブロックは前記細棒によって前記縦長棒を連動させて前後に揺れ動かすことができ、前記縦長棒と前記主縦棒との間には伸縮ばねが設置され、前記伸縮ばねは前記把持ブロックを復位させることができ、前記縦長棒には前記小型スライドブロックがスライド可能に設置され、前記小型スライドブロックの右端面には薄片が固定的に設置され、前記薄片の右端面には細紐が設置され、前記細紐の右端には小型縦ブロックが固定的に連結され、前記小型縦ブロックの左端面には短棒が回転可能に設置され、前記短棒が前記縦斜歯歯車とともに回転でき、前記小型縦ブロックの上端面には第二小型ブロックが固定的に設置され、前記第二空間の上端壁の中には小型溝が形成され、前記小型溝の中には左右にスライドできる木ブロックが設置され、前記木ブロックは前記第二小型ブロックとともに左右に移動できることを特徴とする請求項１に記載の速遉用パッケージの表面に対する便利処理装置。
【請求項４】
前記テープ貼り機構は左右対称の小型縦棒も含み、前記小型縦棒は前記第二空間の下端壁を貫通し、且つ上下にスライドでき、二本の前記小型縦棒の下端には隔て板が一つ固定的に設置され、二本の前記小型縦棒の上端面には横板が一つ固定的に設置され、前記横板の上端面には電池が固定的に設置され、前記小型縦棒は前記横板とともに上下に移動でき、前記作業台の上端面には細溝が形成され、前記細溝の中には扁形ブロックがスライド可能に設置され、前記扁形ブロックと前記細溝の左端壁とは復位ばねによって固定的に連結され、前記扁形ブロックの上端面には前記主縦棒が固定的に設置され、前記テープケースの右端面には伝動棒が固定的に設置され、前記伝動棒は前記テープケースを連動させて左右に移動させることができ、前記テープケースの中には円柱が設置され、前記円柱は前記テープケースの後端壁に固定され、前記円柱にはテープが回転可能に設置され、前記テープケースの下端壁の中には下方に開口した引出空間が設置されていることを特徴とする請求項３に記載の速遉用パッケージの表面に対する便利処理装置。
【請求項５】
前記昇降機構は前記作業台の後端面に位置する踏板も含み、前記踏板と前記ラックとは固定的に連結され、前記踏板は前記ラックを連動させて上下に移動させることができ、前記縦空間の後端壁には細円柱が固定的に設置され、前記縦空間の左右端壁には大型ばねが対称に設置され、前記大型ばねの他端には阻止ブロックが固定的に連結され、前記阻止ブロックの上端面と前記小型歯車とは噛み合っており、前記小型歯車は前記細円柱で回転でき、前記阻止ブロックの上端面には横ブロックが設置され、前記横ブロックは前記第二昇降棒を連動させて上下に移動させることができることを特徴とする請求項４に記載の速遉用パッケージの表面に対する便利処理装置。
【請求項６】
前記伸縮ばねと前記復位ばねとは正常状態にあり、前記小型ばねは引っ張られる状態にあることを特徴とする請求項３に記載の速遉用パッケージの表面に対する便利処理装置。
【請求項７】
前記薄片は前記ソケットと前記電池との接触を阻止できることを特徴とする請求項３に記載の速遉用パッケージの表面に対する便利処理装置。
【請求項８】
前記テープケースは前側から開けられ、前記テープを収納することができることを特徴とする請求項４に記載の速遉用パッケージの表面に対する便利処理装置。
【発明の詳細な説明】
【技術分野】
【０００１】
本願発明は速達用パッケージ梱包を取り上げ、具体的には速達用パッケージの表面に対する便利処理装置である。
【背景技術】
【０００２】
既存する速達用の梱包設備のほとんどはサイズが限定されたパッケージにしか適用されない。そのため、現在の梱包作業は人力頼りである。しかし、新入りは熟練度を欠け、梱包作業の効率に大きく響く。また、パッケージのサイズが大きいとなると、熟練工でも素早く対応できない。本願発明はサイズの異なるパッケージを素早く梱包でき、長時間の訓練を必要とせず、簡単で便利である。
【先行技術文献】
【特許文献】
【０００３】
【特許文献１】中国特許出願公開第１０９６３６２８７号明細書
【発明の概要】
【発明が解決しようとする課題】
【０００４】
速達用パッケージの表面に対する便利処理装置を提供し、新入りが梱包をする時に効率が低いことや梱包作業の複雑さなどの問題を解決することを目的とする。
【課題を解決するための手段】
【０００５】
本願発明は以下の技術的解決策で実現される。
【０００６】
本願発明の速達用パッケージの表面に対する便利処理装置は、作業台を含み、前記作業台の上端面の右側には切断機構が固定的に設置され、前記切断機構は貼ったテープを切断でき、
前記作業台の上端面の左側には把持機構がスライド可能に設置され、前記把持機構はパッケージを把持でき、且つパッケージを作業台の中間に位置させることができ、テープ貼りに便利であり、
前記把持機構の前後両側にはテープ貼り機構が対称に設置され、前記テープ貼り機構は前記作業台の上側で上下に移動できる第一昇降棒を含み、前後二本の前記第一昇降棒の間には前後対称の第二昇降棒が設置され、前記第一昇降棒と前記第二昇降棒とは連結短ブロックによって固定的に連結され、前記第二昇降棒は連結短棒によって固定的に連結され、前記第一昇降棒の中には前後に貫通した第一空間が設置され、前記第二昇降棒の中には前後に貫通した第二空間が設置され、前記第一空間の上端壁には短軸が回転可能に設置され、前記短軸には大型斜歯歯車が固定的に設置され、前記短軸の下端にはモータが設置され、前記モータは小型ブロックに固定され、前記小型ブロックは前記第一空間の上下端壁の間に固定され、前記小型ブロックの前端面にはソケットが固定的に設置され、前記ソケットと前記モータとの間には電線が設置され、前記大型斜歯歯車の右側には縦斜歯歯車が噛み合うように設置され、前記縦斜歯歯車の下側には小型斜歯歯車が噛み合うように設置され、前記小型斜歯歯車は細軸の上端に固定的に連結され、前記細軸の下端は前記第一空間の下端壁に回転可能に連結され、前記細軸にはリールが固定的に設置され、前記リールは前記小型斜歯歯車とともに回転でき、前記リールは細線によって小型スライドブロックを連動させて左右に移動させることができ、前後二本の前記第二昇降棒の間にはテープケースが設置され、前記小型スライドブロックは前記テープケースを連動させて左右に移動させることができ、前記テープケースはパッケージにテープを貼ることができ、
前記テープ貼り機構の上側には昇降機構が設置され、前記昇降機構は主棒を含み、前記主棒は前記作業台の上端面に固定され、前記主棒の中には縦空間が設置され、前記縦空間の中には上下に移動できるラックが設置され、前記ラックの左右両側には小型歯車が対称に、且つ伝動可能に噛み合っている。
【０００７】
好ましくは、前記切断機構は前記テープケースの下端面の左側に位置する小型ばねを含み、前記小型ばねの下側には縦ブロックが固定的に連結され、前記小型ばねは引っ張られる状態にあり、前記作業台の上端面の右側には妨害ブロックが固定的に設置され、前記妨害ブロックの上端面にはブレードが固定的に設置され、前記縦ブロックが落下した後に、前記ブレードはテープを切断できる。
【０００８】
好ましくは、前記把持機構は前後対称の把持ブロックを含み、前記把持ブロックは前記作業台の上端面の左側に位置し、前後二つの前記把持ブロックにおいて互いに離れた側には主縦棒が設置され、前記主縦棒の中には縦長空間が設置され、前記主縦棒の右側には副縦棒が対称に設置され、前記縦長空間の中には縦長棒が設置され、前記縦長棒には円柱棒が固定的に設置され、前記円柱棒は前記縦長空間の左右端壁と回転可能に連結され、前記把持ブロックと前記縦長棒との間には細棒が固定的に設置され、前記把持ブロックは前記細棒によって前記縦長棒を連動させて前後に揺れ動かすことができ、前記縦長棒と前記主縦棒との間には伸縮ばねが設置され、前記伸縮ばねは前記把持ブロックを復位させることができ、前記縦長棒には前記小型スライドブロックがスライド可能に設置され、前記小型スライドブロックの右端面には薄片が固定的に設置され、前記薄片の右端面には細紐が設置され、前記細紐の右端には小型縦ブロックが固定的に連結され、前記小型縦ブロックの左端面には短棒が回転可能に設置され、前記短棒が前記縦斜歯歯車とともに回転でき、前記小型縦ブロックの上端面には第二小型ブロックが固定的に設置され、前記第二空間の上端壁の中には小型溝が形成され、前記小型溝の中には左右にスライドできる木ブロックが設置され、前記木ブロックは前記第二小型ブロックとともに左右に移動できる。
【０００９】
好ましくは、前記テープ貼り機構は左右対称の小型縦棒も含み、前記小型縦棒は前記第二空間の下端壁を貫通し、且つ上下にスライドでき、二本の前記小型縦棒の下端には隔て板が一つ固定的に設置され、二本の前記小型縦棒の上端面には横板が一つ固定的に設置され、前記横板の上端面には電池が固定的に設置され、前記小型縦棒は前記横板とともに上下に移動でき、前記作業台の上端面には細溝が形成され、前記細溝の中には扁形ブロックがスライド可能に設置され、前記扁形ブロックと前記細溝の左端壁とは復位ばねによって固定的に連結され、前記扁形ブロックの上端面には前記主縦棒が固定的に設置され、前記テープケースの右端面には伝動棒が固定的に設置され、前記伝動棒は前記テープケースを連動させて左右に移動させることができ、前記テープケースの中には円柱が設置され、前記円柱は前記テープケースの後端壁に固定され、前記円柱にはテープが回転可能に設置され、前記テープケースの下端壁の中には下方に開口した引出空間が設置されている。
【００１０】
好ましくは、前記昇降機構は前記作業台の後端面に位置する踏板も含み、前記踏板と前記ラックとは固定的に連結され、前記踏板は前記ラックを連動させて上下に移動させることができ、前記縦空間の後端壁には細円柱が固定的に設置され、前記縦空間の左右端壁には大型ばねが対称に設置され、前記大型ばねの他端には阻止ブロックが固定的に連結され、前記阻止ブロックの上端面と前記小型歯車とは噛み合っており、前記小型歯車は前記細円柱で回転でき、前記阻止ブロックの上端面には横ブロックが設置され、前記横ブロックは前記第二昇降棒を連動させて上下に移動させることができる。
【００１１】
好ましくは、前記伸縮ばねと前記復位ばねとは正常状態にあり、前記小型ばねは引っ張られる状態にある。
【００１２】
好ましくは、前記薄片は前記ソケットと前記電池との接触を阻止できる。
【００１３】
好ましくは、前記テープケースは前側から開けられ、前記テープを収納することができる。
【発明の効果】
【００１４】
本願発明は以下のプラス効果を有する：本装置は自動的にサイズの異なるパッケージを梱包でき、長時間の訓練を必要とせず、折り畳んだパッケージを作業台に置いて、踏板を踏むことだけで、本装置は自動的にパッケージを梱包でき、また、梱包後、本装置はパッケージを作業台から取り出し、それにより、作業員が簡単に次のパッケージを置ける。
【図面の簡単な説明】
【００１５】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明である速達用パッケージの表面に対する便利処理装置の全体全断面の主構成略図
【図２】図２は図１の上面図
【図３】図３は図１におけるＡ―Ａ方向からの略図
【図４】図４は図１におけるＢの拡大略図
【図５】図５は図２におけるＣ―Ｃ方向からの略図
【発明を実施するための形態】
【００１７】
図１〜５を合わせ、本願に記載された速達用パッケージの表面に対する便利処理装置は、作業台１０を含み、前記作業台１０の上端面の右側には切断機構９４が固定的に設置され、前記切断機構９４は貼ったテープを切断でき、
前記作業台１０の上端面の左側には把持機構９３がスライド可能に設置され、前記把持機構９３はパッケージを把持でき、且つパッケージを作業台の中間に位置させることができ、テープ貼りに便利であり、
前記把持機構９３の前後両側にはテープ貼り機構９１が対称に設置され、前記テープ貼り機構９１は前記作業台１０の上側で上下に移動できる第一昇降棒１２を含み、前後二本の前記第一昇降棒１２の間には前後対称の第二昇降棒２１が設置され、前記第一昇降棒１２と前記第二昇降棒２１とは連結短ブロック２０によって固定的に連結され、前記第二昇降棒２１は連結短棒２３によって固定的に連結され、前記第一昇降棒１２の中には前後に貫通した第一空間１９が設置され、前記第二昇降棒２１の中には前後に貫通した第二空間２９が設置され、前記第一空間１９の上端壁には短軸８７が回転可能に設置され、前記短軸８７には大型斜歯歯車７９が固定的に設置され、前記短軸８７の下端にはモータ７８が設置され、前記モータ７８は小型ブロック７７に固定され、前記小型ブロック７７は前記第一空間１９の上下端壁の間に固定され、前記小型ブロック７７の前端面にはソケット７２が固定的に設置され、前記ソケット７２と前記モータ７８との間には電線８６が設置され、前記大型斜歯歯車７９の右側には縦斜歯歯車８１が噛み合うように設置され、前記縦斜歯歯車８１の下側には小型斜歯歯車８０が噛み合うように設置され、前記小型斜歯歯車８０は細軸８２の上端に固定的に連結され、前記細軸８２の下端は前記第一空間１９の下端壁に回転可能に連結され、前記細軸８２にはリール８４が固定的に設置され、前記リール８４は前記小型斜歯歯車８０とともに回転でき、前記リール８４は細線７５によって小型スライドブロック４４を連動させて左右に移動させることができ、前後二本の前記第二昇降棒２１の間にはテープケース３６が設置され、前記小型スライドブロック４４は前記テープケース３６を連動させて左右に移動させることができ、前記テープケース３６はパッケージにテープを貼ることができ、
前記テープ貼り機構９１の上側には昇降機構９０が設置され、前記昇降機構９０は主棒を含み、前記主棒１５は前記作業台１０の上端面に固定され、前記主棒１５の中には縦空間２６が設置され、前記縦空間２６の中には上下に移動できるラック４８が設置され、前記ラック４８の左右両側には小型歯車５０が対称に、且つ伝動可能に噛み合っている。
【００１８】
さらに、前記切断機構９４について詳しく説明し、前記切断機構９４は前記テープケース３６の下端面の左側に位置する小型ばね４１を含み、前記小型ばね４１の下側には縦ブロック４０が固定的に連結され、前記小型ばね４１は引っ張られる状態にあり、前記作業台１０の上端面の右側には妨害ブロック２４が固定的に設置され、前記妨害ブロック２４の上端面にはブレード２５が固定的に設置され、前記縦ブロック４０が落下した後に、前記ブレード２５はテープを切断できる。
【００１９】
さらに、前記把持機構９３について詳しく説明し、前記把持機構９３は前後対称の把持ブロック６３を含み、前記把持ブロック６３は前記作業台１０の上端面の左側に位置し、前後二つの前記把持ブロック６３において互いに離れた側には主縦棒１１が設置され、前記主縦棒１１の中には縦長空間６５が設置され、前記主縦棒１１の右側には副縦棒１８が対称に設置され、前記縦長空間６５の中には縦長棒６４が設置され、前記縦長棒６４には円柱棒６６が固定的に設置され、前記円柱棒６６は前記縦長空間６５の左右端壁と回転可能に連結され、前記把持ブロック６３と前記縦長棒６４との間には細棒３５が固定的に設置され、前記把持ブロック６３は前記細棒３５によって前記縦長棒６４を連動させて前後に揺れ動かすことができ、前記縦長棒６４と前記主縦棒１１との間には伸縮ばね７１が設置され、前記伸縮ばね７１は前記把持ブロック６３を復位させることができ、前記縦長棒６４には前記小型スライドブロック４４がスライド可能に設置され、前記小型スライドブロック４４の右端面には薄片７６が固定的に設置され、前記薄片７６の右端面には細紐８３が設置され、前記細紐８３の右端には小型縦ブロック５８が固定的に連結され、前記小型縦ブロック５８の左端面には短棒５６が回転可能に設置され、前記短棒５６が前記縦斜歯歯車８１とともに回転でき、前記小型縦ブロック５８の上端面には第二小型ブロック５５が固定的に設置され、前記第二空間２９の上端壁の中には小型溝５４が形成され、前記小型溝５４の中には左右にスライドできる木ブロック５３が設置され、前記木ブロック５３は前記第二小型ブロック５５とともに左右に移動できる。
【００２０】
好ましくは、前記テープ貼り機構９１は左右対称の小型縦棒６１も含み、前記小型縦棒６１は前記第二空間２９の下端壁を貫通し、且つ上下にスライドでき、二本の前記小型縦棒６１の下端には隔て板２２が一つ固定的に設置され、二本の前記小型縦棒の上端面には横板５７が一つ固定的に設置され、前記横板５７の上端面には電池８５が固定的に設置され、前記小型縦棒６１は前記横板５７とともに上下に移動でき、前記作業台１０の上端面には細溝１４が形成され、前記細溝１４の中には扁形ブロック６２がスライド可能に設置され、前記扁形ブロック６２と前記細溝１４の左端壁とは復位ばね６７によって固定的に連結され、前記扁形ブロック６２の上端面には前記主縦棒１１が固定的に設置され、前記テープケース３６の右端面には伝動棒３８が固定的に設置され、前記伝動棒３８は前記テープケース３６を連動させて左右に移動させることができ、前記テープケース３６の中には円柱４３が設置され、前記円柱４３は前記テープケース３６の後端壁に固定され、前記円柱４３にはテープ４９が回転可能に設置され、前記テープケース３６の下端壁の中には下方に開口した引出空間４２が設置されている。
【００２１】
好ましくは、前記昇降機構９０は前記作業台１０の後端面に位置する踏板５９も含み、前記踏板５９と前記ラック４８とは固定的に連結され、前記踏板５９は前記ラック４８を連動させて上下に移動させることができ、前記縦空間２６の後端壁には細円柱４７が固定的に設置され、前記縦空間２６の左右端壁には大型ばね５２が対称に設置され、前記大型ばね５２の他端には阻止ブロック５１が固定的に連結され、前記阻止ブロック５１の上端面と前記小型歯車５０とは噛み合っており、前記小型歯車５０は前記細円柱４７で回転でき、前記阻止ブロック５１の上端面には横ブロック４６が設置され、前記横ブロック４６は前記第二昇降棒２１を連動させて上下に移動させることができる。
【００２２】
好ましくは、前記伸縮ばね７１と前記復位ばね６７とは正常状態にあり、前記小型ばね４１は引っ張られる状態にある。
【００２３】
好ましくは、前記薄片７６は前記ソケット７２と前記電池８５との接触を阻止できる。
【００２４】
好ましくは、前記テープケース３６は前側から開けられ、前記テープ４９を収納することができる。
【００２５】
装置全体の作動手順は以下の通りである。
【００２６】
１、折り畳まれたパッケージを作業台１０に置き、把持ブロック６３で挟み、把持ブロック６３は縦長棒６４を連動させて傾斜させ、薄片７６は縦長棒６４とともに傾斜し、薄片７６はソケット７２と電池８５との接触を阻止しなくなる。
【００２７】
２、踏板５９を踏み、踏板５９はラック４８を連動させて下方へ移動させ、ラック４８は小型歯車５０を回転連動させ、阻止ブロック５１は小型歯車５０の回転につれ左右に移動し、横ブロック４６は下方へ移動し、第一昇降棒１２と第二昇降棒２１とは横ブロック４６とともに下方へ移動する。
【００２８】
３、隔て板２２はパッケージの表面に接触し、横板５７を連動させて上方へ移動させ、電池８５はソケット７２の中に插入され、モータ７８は作動し、短軸８７を回転連動させ、それにより、大型斜歯歯車７９は駆動されて回転し、大型斜歯歯車７９は噛み合いによる伝動で小型斜歯歯車８０を回転連動させ、リール８４は小型斜歯歯車８０とともに回転し、細線７５を引き締め、且つ主縦棒１１を連動させて右方へ移動させ、主縦棒１１はテープケース３６を連動させて右方へ移動させ、把持ブロック６３は主縦棒１１とともに右方へ移動し、且つ把持ブロック６３はパッケージを連動させてともに右方へ移動させ、この時に、テープをパッケージの側面に貼る。
【００２９】
４、把持ブロック６３はパッケージを連動させて引き続き右方へ移動させ、パッケージは切断機構９４に止められ、移動できなくなり、テープケース３６は引き続き右方へ移動し、小型ばね４１は圧縮され、縦ブロック４０はパッケージの表面で移動し、貼ったテープを平らにさせられる。
【００３０】
５、パッケージが切断機構９４に止められ、把持ブロック６３は引き続き右方へ運動する時に、パッケージを挟まなくなり、同時に小型ばね４１は圧迫を受けなくなり、縦ブロック４０の重力によって下方へ移動し、ブレード２５と縦ブロック４０との協同作用によってテープは切断され、把持ブロック６３は正常状態に戻り、薄片７６は電池８５とソケット７２との接触を妨害し、モータ７８は作動を止め、薄片７６は右方へ小型ブロック５８を押してともに運動させ、縦斜歯歯車８１を噛合状態から離脱させる。
【００３１】
６、復位ばね６７は把持ブロック６３を連動させて復位させ、同時に把持ブロック６３はパッケージ６３を連動させて左方へ運動させ、パッケージを作業区域から送り出し、細紐８３は小型縦ブロック５８を引き動かして左方へ運動させ、小型縦ブロック５８は縦斜歯歯車８１を連動させて復位させ、縦斜歯歯車８１は小型斜歯歯車８０と噛み合い、最後に昇降機構９０は押されて上方へ復位する。
【００３２】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は速達用パッケージの表面に対する便利処理装置を開示した。
【解決手段】
本願は速達用パッケージの表面に対する便利処理装置を開示し、作業台を含み、前記作業台の上端面の右側には切断機構が固定的に設置され、前記切断機構は貼ったテープを切断でき、前記作業台の上端面の左側には把持機構がスライド可能に設置され、前記把持機構はパッケージを把持でき、且つパッケージを作業平台の中間に位置させることができ、テープ貼りに便利であり、本装置は自動的にサイズの異なるパッケージを梱包でき、長時間の訓練を必要とせず、折り畳んだパッケージを作業台に置いて、踏板を踏むことだけで、本装置は自動的にパッケージを梱包でき、また、梱包後、本装置はパッケージを作業台から取り出し、それにより、作業員が簡単に次のパッケージを置ける。
【選択図】図１【図１】
0006810853.tif 000002
【図２】
0006810853.tif 000003
【図３】
0006810853.tif 000004
【図４】
0006810853.tif 000005
【図５】
0006810853.tif 000006